(57)【要約】【課題】畑作時の地下水位だけでなく、稲作時の潅水水位の調節も容易にかつ確実に行うことができる水位調節装置を提供する。【解決手段】上向きに開口する水位調節口２２と排水口２３とを有する水位調節桝２１の水位調節口２２に、下部パイプ３２、上部パイプ３３及びスライドパイプ３４からなる水位調節パイプ３１を着脱可能に装着した水位調節装置である。下部パイプ記水位調節口に装着して下部パイプと上部パイプとを離間させたときに、下部パイプの上端によって畑作時における地下灌漑用水位が設定され、下部パイプの上端に上部パイプを連結した状態でスライドパイプを下方に押し下げたときのスライドパイプの上端開口位置によって稲作時における地下水位が設定され、スライドパイプを上部パイプに対して上下方向にスライドさせたときのスライドパイプの上端開口位置によって稲作時における潅水水位を調節できる。【選択図】　　図１
2004065038.tif 000002
【特許請求の範囲】
【請求項１】
鉛直方向に設置した有底筒状の水位調節桝の底部に、圃場に埋設した暗渠排水管に接続して上向きに開口する水位調節口と、水位調節枡内の用水を排水路に排出するための排水口とを設けるとともに、前記水位調節口に水位調節パイプを着脱可能に装着した水位調節装置であって、前記水位調節パイプは、前記水位調節口に下端が着脱可能に装着される下部パイプと、該下部パイプの上端に着脱可能に連結される上部パイプと、該上部パイプの上端に軸方向にスライド可能に装着されるスライドパイプとを一体的に有しており、前記下部パイプの下端を前記水位調節口に装着して該下部パイプと前記上部パイプとを離間させたときに、下部パイプの上端によって畑作時における地下灌漑用水位が設定され、前記下部パイプの上端に前記上部パイプを連結した状態で前記スライドパイプを下方に押し下げたときのスライドパイプの上端開口位置によって稲作時における地下水位が設定され、スライドパイプを上部パイプに対して上下方向にスライドさせたときのスライドパイプの上端開口位置によって稲作時における潅水水位を調節できるように形成されていることを特徴とする水位調節装置。
【請求項２】
前記畑作時の地下灌漑用水位が地下３０〜５０ｃｍ、前記稲作時の地下水位が地下０〜２０ｃｍ、前記潅水水位の最大値が地上１５〜２５ｃｍに設定されていることを特徴とする請求項１記載の水位調節装置。
【請求項３】
前記水位調節桝は、その上端が、農道又は畦畔から突出するように設置されていることを特徴とする請求項１記載の水位調節装置。
【発明の詳細な説明】
【０００１】
【発明の属する技術分野】
本発明は、水位調節装置に関し、詳しくは、圃場に埋設した暗渠排水管からの排水水位を制御することにより、畑作時における地下水位から稲作時における潅水水位までを耕作条件に応じて調節することができる水位調節装置に関する。
【０００２】
【従来の技術】
近年行われつつある地下潅漑は、畑作時の圃場の地下水位を調節して毛管現象により水分を補給するものであって、地下水位を作物に適した水位に調節することによって収穫量向上等の効果を得ることができる。この地下潅漑は、圃場の地中に通水性の暗渠排水パイプを埋設し、地中の余剰地下水を排水路に排出するとともに、不足する用水の供給も暗渠排水パイプを利用して行うのが一般的である。このような暗渠排水装置における排水側には、開閉弁に相当する水閘が一般に用いられており、水位の調節方法として、給水側に水位調節機能を備えた給水装置を設けることが提案されている。（例えば、特許文献１参照。）。
【０００３】
【特許文献１】
特開平１０−１５５３７５号公報（第２頁、第１，２図）
【０００４】
【発明が解決しようとする課題】
しかし、水閘の開閉だけでは確実な水位設定を行うことができず、また、給水側での水位調節では、圃場全体の水位調節を確実に行うことが困難となっていた。さらに、水位設定機能を備えた暗渠排水装置を設置することも行われつつあるが、水位の設定が面倒であるなどの問題があった。
【０００５】
そこで本発明は、畑作時の地下水位だけでなく、稲作時の潅水水位の調節も容易にかつ確実に行うことができる水位調節装置を提供することを目的としている。
【０００６】
【課題を解決するための手段】
上記目的を達成するため、本発明の水位調節装置は、鉛直方向に設置した有底筒状の水位調節桝の底部に、圃場に埋設した暗渠排水管に接続して上向きに開口する水位調節口と、水位調節枡内の用水を排水路に排出するための排水口とを設けるとともに、前記水位調節口に水位調節パイプを着脱可能に装着した水位調節装置であって、前記水位調節パイプは、前記水位調節口に下端が着脱可能に装着される下部パイプと、該下部パイプの上端に着脱可能に連結される上部パイプと、該上部パイプの上端に軸方向にスライド可能に装着されるスライドパイプとを一体的に有しており、前記下部パイプの下端を前記水位調節口に装着して該下部パイプと前記上部パイプとを離間させたときに、下部パイプの上端によって畑作時における地下灌漑用水位が設定され、前記下部パイプの上端に前記上部パイプを連結した状態で前記スライドパイプを下方に押し下げたときのスライドパイプの上端開口位置によって稲作時における地下水位が設定され、スライドパイプを上部パイプに対して上下方向にスライドさせたときのスライドパイプの上端開口位置によって稲作時における潅水水位を調節できるように形成されていることを特徴としている。
【０００７】
さらに、本発明では、前記畑作時の地下灌漑用水位が地下３０〜５０ｃｍ、前記稲作時の地下水位が地下０〜２０ｃｍ、前記潅水水位の最大水深が地上１５〜２５ｃｍに設定されていることを特徴とし、また、前記水位調節桝は、その上端が、農道又は畦畔から突出するように設置されていることを特徴としている。
【０００８】
【発明の実施の形態】
図は、本発明の水位調節装置の一形態例を示すもので、図１は畑作時の地下灌漑用水位を設定した状態の水位調節装置を示す断面図、図２は稲作時の地下水位を設定した状態の水位調節装置を示す断面図、図３は稲作時の潅水水位を最高位に設定した状態の水位調節装置を示す断面図、図４は水位調節パイプの一部断面正面図、図５は本発明の水位調節装置の設置例を示す断面図である。
【０００９】
まず、図５に示すように、水位調節装置１０は、圃場１１を区画する農道又は畦畔１２の側縁部分に設けられるものであって、鉛直方向に設置した有底筒状の水位調節桝２１の内部に水位調節パイプ３１を収納した構造を有している。この水位調節枡２１の底部には、圃場１１に埋設した暗渠排水管１３が接続されるとともに、排水路１４に接続する排水管１５が接続されている。通常、水位調節桝２１の上部開口は、蓋２１ａで閉塞しておく。
【００１０】
また、水位調節枡２１の上端は、農道又は畦畔１２の上面から１０ｃｍ程度突出するように設置されており、設置位置は、農道又は畦畔１２の平坦部１２ａと傾斜部１２ｂとの間、あるいは傾斜部１２ｂとしている。このように水位調節枡２１の上端を突出させることにより、水位調節装置１０の位置確認を容易に行うことができる。また、農道又は畦畔１２の平坦部を避けて設置することにより、歩行や走行の障害となることもない。さらに、突出量が１０ｃｍ程度ならば、走行式草刈り機で草刈り中も枡上端を容易に避けることができる。また、枡突出部の周囲にビニールシートを敷いておくことによって草の生育を抑えることもできる。
【００１１】
図１乃至図３に示すように、水位調節枡２１は、底面部分に前記暗渠排水管１３に接続して上向きに開口する水位調節口２２が設けられるとともに、底部側面に前記排水管１５が接続する排水口２３が設けられている。前記水位調節口２２には、リング状のシール材２４が装着されており、前記水位調節パイプ３１の下端を容易に着脱可能な状態にするとともに、装着時に確実な水密状態が得られるようにしている。なお、排水管１５は、通常の継手を用いて接続することができる。
【００１２】
図４に示すように、前記水位調節パイプ３１は、水位調節口２２に装着される下部パイプ３２と、該下部パイプ３２の上端に着脱可能に装着される上部パイプ３３と、該上部パイプ３３の上端に軸方向にスライド可能に装着されるスライドパイプ３４とを有しており、上部パイプ３３の上端開口縁には、スライドパイプ３４を水密状態でスライド可能に保持するためのリング状のシール材３５が装着されている。また、上部パイプ３３の下端には下部パイプ３２の上端を挿入するための受口３３ａが設けられており、スライドパイプ３４の上端には上部パイプ３３への押し込み量を規制するための拡径部３４ａあるいはストッパーが設けられている。
【００１３】
さらに、上下両パイプ３２，３３の外周には、パイプ締付具３６を備えた連結部材３７が設けられており、パイプ締付具を緩めることによって両パイプ３２，３３相互の位置調整を行えるようにしている。また、スライドパイプ３４の上端には、操作用のハンドル３８が設けられている。
【００１４】
下部パイプ３２の長さは、水位調節口２２の設置位置（深さ）と田面ＧＬとの位置関係によって決定され、図１に示すように、下部パイプ３２を水位調節口２２に装着したときに、パイプ上端が畑作時の地下灌漑用水位Ｄ１に対して適当な位置になるように設定される。この地下灌漑用水位Ｄ１は、作物の種類により異なり、畑作時の作物に応じて設定すればよいが、通常は、地下灌漑用水位として地下３０〜５０ｃｍ、特に４０ｃｍが適当であり、地下水位がこれより高くても、低くても地下灌漑の効果を十分に得ることができなくなる。
【００１５】
上部パイプ３３の長さは、図２に示すように、上部パイプ３３の下端を下部パイプ３２の上端に嵌合連結した状態で、スライドパイプ３４を最も下方にまで押し下げたときに、スライドパイプ３４の上端が稲作時における地下水位Ｄ２として適当な位置、通常は地下０〜２０ｃｍになるように設定される。例えば、無代掻きで幼苗を移植する際には、地下０〜５ｃｍに水位が設定される。また、畑作時においても、必要に応じて地下水位をこのような範囲まで上昇させることができる。
【００１６】
スライドパイプ３４の長さは、図３に示すように、上部パイプ３３から最大に引き延ばしたときに、稲作時における最大水深Ｄ３を地上１５〜２５ｃｍ、特に２０ｃｍに調節できるように設定される。したがって、上部パイプ３３に対するスライドパイプ３４の伸縮量を調節することにより、圃場１１における田面水位を、前記地下水位Ｄ２と前記最大水深Ｄ３との間で任意に調節できることになる。
【００１７】
このように、水位調節パイプ３１を３本のパイプで形成し、あらかじめ設定した位置に水位を設定できるようにしておくことにより、畑作時だけでなく、稲作時の水位調節を容易かつ確実に設定することができ、畑作時においては、作物の生育状態等に対応させた最適な地下灌漑を行えるとともに、稲作時の間断灌漑にも容易に対応することができる。また、水位調節パイプ３１を水位調節口２２から抜き取ることにより、圃場から地下水を排出することができる。
【００１８】
なお、下部パイプ３２と上部パイプ３３とは、前記連結部材３６に設けたパイプ締付具を緩めた状態で両パイプを嵌合させたり、離間させたりした後、パイプ締付具を締め付けることにより、連結部材３６によって嵌合状態あるいは離間状態が保持される。また、スライドパイプ３４も同様にして連結部材３６によりスライド位置を保持しておくことができるので、使用中に各パイプが外れたり、スライド位置がずれたりすることがない。
【００１９】
さらに、蓋２１の裏面に吊具３９等を設けておき、この吊具３９に連結部材３６上端のハンドル部を引っ掛けておけるように形成しておくことにより、排水時に水位調節口２２から抜き取った水位調節パイプ３１を吊具３９に引っ掛けた状態にして水位調節枡２１内に収納しておくことができる。これにより、排水時に水位調節パイプ３１を水位調節枡２１から取り出して別に保管したりする必要がなくなるので、水位調節枡２１の設置位置によって下部パイプ３２等の長さが異なる場合でも、各水位調節枡２１にそれぞれ対応した水位調節パイプ３１を確実に使用することができるだけでなく、地下水排水時における水位調節パイプ３１の運搬や保管場所の問題もなくなる。
【００２０】
また、水位調節口２２や排水口２３の位置や構造は、水位調節口２２に水位調節パイプ３１が着脱可能になっていれば任意に形成することができ、これらに接続する暗渠排水管１３や排水管１５の接続方向や接続方法も任意である。
【００２１】
【発明の効果】
以上説明したように、本発明の水位調節装置によれば、畑作時及び稲作時における圃場の水位を、地下、地上のいずれについても容易にかつ確実に設定することができる。
【図面の簡単な説明】
【図１】畑作時の地下灌漑用水位を設定した状態の水位調節装置を示す断面図である。
【図２】稲作時の地下水位を設定した状態の水位調節装置を示す断面図である。
【図３】稲作時の潅水水位を最高位に設定した状態の水位調節装置を示す図である。
【図４】水位調節パイプの一部断面正面図である。
【図５】本発明の水位調節装置の設置例を示す断面図である。
【符号の説明】
１０…水位調節装置、１１…圃場、１２…農道又は畦畔、１３…暗渠排水管、１４…排水路、１５…排水管、２１…水位調節桝、２２…水位調節口、２３…排水口、２４…シール材、３１…水位調節パイプ、３２…下部パイプ、３３…上部パイプ、３４…スライドパイプ、３５…シール材、３６…パイプ締付具、３７…連結部材、３８…ハンドル、３９…吊具
【図１】
2004065038.tif 000003
【図２】
2004065038.tif 000004
【図３】
2004065038.tif 000005
【図４】
2004065038.tif 000006
【図５】
2004065038.tif 000007